(57)【要約】【課題】  ２−２プルダウン方式から他の方式へ映像の種類が切り替わったときにプルダウン判定から離脱しやすいプルダウン検出装置を提供する。【解決手段】  プルダウン映像検出装置１００は、隣接フィールド相関判定部１から出力される２フィールド分の相関判定信号から相関パターン生成部２で生成される相関パターンを判定用パターンと比較してプルダウンパターン検出部３が判定保留信号を出力してプルダウン映像検出部４が２−２−プルダウン映像検出信号の出力保持状態になっているときに、チャプターチェンジ検出部５からチャプターチェンジ検出信号が出力されると、離脱感度調整部６がプルダウン映像検出部４の２−２−プルダウン映像検出信号の出力保持状態からの離脱感度を高める。【選択図】  図１
2006319744.tif 000002
【特許請求の範囲】
【請求項１】
入力映像信号の現フィールドと１フィールド前の画像データの差分値に基づいて隣接フィールド間の相関をフィールドごとに判定して相関判定信号を出力する隣接フィールド相関判定手段と、
連続する少なくとも２フィールド分の前記相関判定信号を一時記憶して１組の相関パターンとして出力する相関パターン生成手段と、
前記相関パターンを予め用意されたプルダウン判定用パターンと比較してプルダウンパターン検出信号または非プルダウンパターン検出信号、もしくは判定保留信号のいずれかを出力するプルダウンパターン検出手段と、
前記プルダウンパターン検出信号が所定回数以上連続して出力されるとプルダウン映像検出信号の出力を開始し、その後に前記判定保留信号が出力されても予め設定された離脱条件が満たされるまでは前記プルダウン映像検出信号の出力を保持するプルダウン映像検出手段と、
前記入力映像信号の非連続性を検出して非連続映像検出信号を出力する非連続映像検出手段と、
前記プルダウンパターン検出手段が前記判定保留信号を出力しているときに前記非連続映像検出手段が前記非連続映像検出信号を出力したときは、前記プルダウン映像検出信号の出力を保持する状態から離脱しやすくするように前記プルダウン映像検出手段の離脱感度を高める離脱感度調整手段と
を具備することを特徴とするプルダウン映像検出装置。
【請求項２】
前記非連続映像検出手段が、チャプターチェンジのときに発生するブラックアウトあるいはホワイトアウトを検出して前記非連続映像検出信号を出力することを特徴とする請求項１に記載のプルダウン映像検出装置。
【請求項３】
前記非連続映像検出手段が、ディゾルブやワイプなどの画像編集処理によるシーンチェンジを検出して前記非連続映像検出信号を出力することを特徴とする請求項１に記載のプルダウン映像検出装置。
【請求項４】
前記相関判定手段が、前記隣接フィールド間の非相関検出感度を高める非相関検出感度増幅手段を有し、前記プルダウンパターン検出手段が前記判定保留信号を出力しているときは前記非相関検出感度を高めることを特徴とする請求項１乃至３のいずれか１項に記載のプルダウン映像検出装置。
【請求項５】
前記相関判定手段が、前記差分値と比較する相関判定基準値を調整する相関判定基準値調整手段を有し、前記プルダウンパターン検出手段が前記判定保留信号を出力しているときは前記相関判定基準値を下げることを特徴とする請求項１乃至３のいずれか１項に記載のプルダウン映像検出装置。
【発明の詳細な説明】
【技術分野】
【０００１】
本発明は、プルダウン映像検出装置に関し、特に２−２プルダウン方式で生成された映像を検出するプルダウン映像検出装置に関する。
【背景技術】
【０００２】
テレビジョン放送信号やビデオディスク再生信号には、映画フィルムの映像やコンピュータグラフィックス（ＣＧ）で作成された映像をテレシネ変換と呼ばれる処理でテレビジョン信号に変換した映像信号が多々含まれていることがある。このテレシネ変換の１つに２−２プルダウン方式があり、毎秒３０フレームのＣＧ映像を毎秒６０フィールドの飛び越し走査のＮＴＳＣ標準テレビジョン信号に変換する方式として用いられている。
【０００３】
この２−２プルダウン方式では、１つのフレーム（コマ）のＣＧ映像を飛び越し走査映像の連続する２フィールドの画像へ変換することが行われる。すなわち、Ａというコマの映像に対してＡ１、Ａ２という連続する２フィールドの画像が生成されるとすると、Ａ、Ｂ、Ｃ、Ｄというコマの並びに対してＡ１、Ａ２、Ｂ１、Ｂ２、Ｃ１、Ｃ２、Ｄ１、Ｄ２という並びのフィールド画像が生成される。
【０００４】
一方、近年、液晶ディスプレイやプラズマディスプレイの普及に伴い、ビデオ信号処理では、飛び越し走査信号を順次走査信号に変換する順次走査線変換処理が必要とされている。
【０００５】
この順次走査線変換処理では、フレーム間の動き検出結果にしたがって、現フィールドが「動画」の場合は現フィールドの画像から補間走査線画像を生成し、「静止画」の場合は前フィールドの画像を補間走査線画像とすることが行われる。
【０００６】
このような順次走査線変換処理は、各フィールドの映像のサンプリング時刻が異なることを前提とする処理のため、２-２プルダウン方式で生成された映像のように同一サンプリング時刻の１コマが別々のフィールドとして異なる時刻に分けられて伝送される映像が入力された場合、順次走査線変換処理で生成された画像に劣化が生じることがある。
【０００７】
そこで、このような問題の発生を避けるため、２−２プルダウン方式で生成された映像に対しては通常のテレビジョン信号とは異なる順次走査線変換処理を行うこととし、そのために、入力された映像が２−２プルダウン方式で生成された映像であるかどうかを検出する２−２プルダウン検出装置を設けることが提案されている（例えば、特許文献１参照。）。
【０００８】
このプルダウン検出装置では、フィールド間の画素値の差分値を検出して画素間の相関を判定し、相関「あり」、「なし」発生の規則性（相関パターン）の判定に基づいて２−２プルダウン方式で生成された映像であるかどうかを検出している。
【０００９】
しかし、このようなプルダウン検出装置で２−２プルダウンを検出できるかどうかは絵柄に依存するため、常に２−２プルダウンを検出できるわけではない。そこで、間歇的に検出したプルダウン情報で位相情報が書き込まれ、明らかなプルダウン外れの情報がない限り自走する位相カウンタを設け、安定した２−２プルダウン判定が行われるようにされている。
【００１０】
このようなプルダウン検出装置のプルダウン検出感度には、引き込み感度と離脱感度とがあり、従来、多数の絵柄で両感度のトレードオフを図るように設定されていた。そのため、離脱感度が低く設定されている場合、２−２プルダウン映像から通常の映像に変わっても、プルダウン判定からの離脱が遅いため、その後の順次走査線変換画像に画質劣化が生じるという問題があった。
【００１１】
例えば、ビデオディスクの映像などで、２−２プルダウン方式の映像のチャプターが静かにフェードアウトして黒画面がしばらく続いた後に、通常のビデオ映像でかつ静止画である次のチャプターへの場面転換があった場合、明らかなパターン外れが検出できないので２−２プルダウン判定が継続してしまう。そのため、通常のビデオ映像に対して、２−２プルダウン方式映像用の順次走査線変換処理が続行されるという問題が生じる。
【００１２】
また、２−２プルダウン判定状態の後にシーンチェンジにて、２−２プルダウン映像であっても編集によりシーケンスがずれた静止画シーンに変わったとすると、変化したプルダウンシーケンスに自走状態の位相カウンタが追従せず、位相の誤りによって斜め線がギザギザに見える現象（ジャギー）が発生し、画質の劣化が生じる。
【００１３】
上述したように、従来の２−２プルダウン映像検出用プルダウン検出装置では、チャプターチェンジなどで明らかに映像の種類が変わっても直前のプルダウン判定が保持されたままであるために、後続の映像の順次走査線変換後の画像に画質の劣化が生じるなどの問題が発生していた。
【特許文献１】特開２００４−２４２１９６号公報  （第７−８ページ、図２）
【発明の開示】
【発明が解決しようとする課題】
【００１４】
そこで、本発明の目的は、２−２プルダウン方式で生成された映像から他の方式の映像に映像の種類が切り替わったときにプルダウン判定からの離脱を早くすることのできるプルダウン検出装置を提供することにある。
【課題を解決するための手段】
【００１５】
本発明の一態様によれば、入力映像信号の現フィールドと１フィールド前の画像データの差分値に基づいて隣接フィールド間の相関をフィールドごとに判定して相関判定信号を出力する隣接フィールド相関判定手段と、連続する少なくとも２フィールド分の前記相関判定信号を一時記憶して１組の相関パターンとして出力する相関パターン生成手段と、前記相関パターンを予め用意されたプルダウン判定用パターンと比較してプルダウンパターン検出信号または非プルダウンパターン検出信号、もしくは判定保留信号のいずれかを出力するプルダウンパターン検出手段と、前記プルダウンパターン検出信号が所定回数以上連続して出力されるとプルダウン映像検出信号の出力を開始し、その後に前記判定保留信号が出力されても予め設定された離脱条件が満たされるまでは前記プルダウン映像検出信号の出力を保持するプルダウン映像検出手段と、前記入力映像信号の非連続性を検出して非連続映像検出信号を出力する非連続映像検出手段と、前記プルダウンパターン検出手段が前記判定保留信号を出力しているときに前記非連続映像検出手段が前記非連続映像検出信号を出力したときは、前記プルダウン映像検出信号の出力を保持する状態から離脱しやすくするように前記プルダウン映像検出手段の離脱感度を高める離脱感度調整手段とを具備することを特徴とするプルダウン映像検出装置が提供される。
【発明の効果】
【００１６】
本発明によれば、２−２プルダウン方式で生成された映像から他の方式の映像に映像の種類が切り替わったときにプルダウン判定からの離脱を早くすることができる。
【発明を実施するための最良の形態】
【００１７】
以下、本発明の実施例を図面を参照して説明する。
【実施例１】
【００１８】
図１は、本発明の実施例１に係るプルダウン映像検出装置の構成の例を示すブロック図である。
【００１９】
本実施例のプルダウン映像検出装置１００は、入力された映像信号の隣接フィールド間の相関をフィールドごとに判定して相関判定信号を出力する隣接フィールド相関判定部１と、連続する２フィールド分の相関判定信号をシフトレジスタ２１、２２に一時記憶して２ビットの相関パターンとして出力する相関パターン生成部２と、比較部３１に入力された相関パターンを判定用パターン格納部３２に格納された判定用パターンと比較してプルダウンパターン検出信号または非プルダウンパターン検出信号、もしくは判定保留信号のいずれかを出力するプルダウンパターン検出部３と、プルダウンパターン検出信号が予め設定された回数以上連続して入力されると２−２プルダウン映像検出信号の出力を開始するプルダウン映像検出部４と、入力された映像信号の非連続性を検出して非連続検出信号を出力する、例えば、入力された映像信号が示す非連続性の１つとしてチャプターの切り替わりを検出するとチャプターチェンジ検出信号を出力するチャプターチェンジ検出部５と、判定保留信号とチャプターチェンジ検出信号が入力されてプルダウン映像検出部４の離脱感度を調整する離脱感度調整部６とを有する。
【００２０】
隣接フィールド相関判定部１は、入力された飛び越し走査の映像信号を約１フィールド期間遅延させるフィールド遅延部１１と、現フィールドの映像信号の不要な垂直高域成分を除去する垂直ＬＰＦ１２と、フィールド遅延部１１で遅延された１フィールド前の映像信号の不要な垂直高域成分を除去する垂直ＬＰＦ１３と、不要な垂直高域成分を除去された現フィールドの画像データおよび１フィールド前の画像データの間の画素値の差を同一水平位置の画素ごとに取って差分値を出力する差分器１４と、差分器１４から出力された差分値の絶対値を取得し絶対差分値を出力する絶対値取得部１５と、画素ごとの絶対差分値を差分基準値と比較して画素ごとに比較結果を出力する比較部１６と、差分基準値以上の絶対差分値を有する画素の１フィールド期間中の総数を計数して非相関画素数として出力する累積加算部１７と、非相関画素数を相関判定基準値と比較して相関判定信号を出力する比較部１８とを有する。
【００２１】
比較部１８からは、非相関画素数が相関判定基準値より少なければ相関判定信号として“０”が出力され、非相関画素数が相関判定基準値以上あれば相関判定信号として“１”が出力される。
【００２２】
すなわち、隣接フィールド相関判定部１は、入力された飛び越し走査の映像信号の現フィールドと１フィールド前の画像データが殆ど同じであれば相関判定信号“０”を出力し、現フィールドと１フィールド前の画像データに違いがあれば相関判定信号“１”を出力する。
【００２３】
相関パターン生成部２は、隣接フィールド相関判定部１から入力された相関判定信号を２ビットのシフトレジスタＳＲ２１、ＳＲ２２に一時記憶し、シフトレジスタＳＲ２１、ＳＲ２２からパラレルに２ビットの相関パターンを出力する。したがって、相関パターン生成部２は、“０１”、“１０”、“１１”、“００”の４通りの相関パターンの中のいずれかの相関パターンを出力する。
【００２４】
プルダウンパターン検出部３は、比較部３１が相関パターン生成部２から入力された相関判定信号を判定用パターン格納部３２に格納された“０１”、“１０”、“１１”、“００”の４通りの判定用パターンと比較し、相関パターンが判定用パターン“０１”または“１０”と一致したときはプルダウンパターン検出信号を出力し、相関パターンが判定用パターン“１１”と一致したときは非プルダウンパターン検出信号を出力し、相関パターンが判定用パターン“００”と一致したときは判定保留信号を出力する。
【００２５】
プルダウン映像検出部４は、プルダウンパターン検出部３から入力されたプルダウンパターン検出信号、非プルダウンパターン検出信号および判定保留信号に基づいて、２−２プルダウン映像検出信号の出力を制御する。
【００２６】
このプルダウン映像検出部４は、導入回数しきい値と保持回数しきい値を有している。これは、偶発的な原因でプルダウンパターン検出部３の出力に単発的な変化があっても、直ちに２−２プルダウン映像検出信号が変化することがないようにするためのものである。
【００２７】
すなわち、プルダウンパターン検出信号が導入回数しきい値以上の回数連続して入力されたときに初めて、プルダウン映像検出部４は２−２プルダウン映像検出信号の出力を開始する。また、一旦２−２プルダウン映像検出信号の出力を開始すると、その後プルダウンパターン検出信号が入力されずに判定保留信号が入力される場合は、判定保留信号の入力回数が保持回数しきい値よりも少ない間は、２−２プルダウン映像検出信号の出力状態を保持する。そして、判定保留信号の入力回数が保持回数しきい値以上になったときに２−２プルダウン映像検出信号の出力保持状態から離脱する。
【００２８】
また、プルダウンパターン検出部３から非プルダウンパターン検出信号が入力されたときは、２−２プルダウン映像検出信号は出力されない。
【００２９】
チャプターチェンジ検出部５は、映像信号の有効領域１画面中の黒レベルの画素の個数を計数する黒画素カウンタ５１と、映像信号の有効領域１画面中の白レベルの画素の個数を計数する白画素カウンタ５２と、黒画素カウンタ５１の計数値が１画面の画素総数と等しいかどうかを比較する比較部５３と、白画素カウンタ５２の計数値が１画面の画素総数と等しいかどうかを比較する比較部５４と、比較部５３または比較部５４からの一致出力が数秒間続いて入力されたらチャプターチェンジ検出信号を出力する判定部５５とを有する。
【００３０】
離脱感度調整部６は、プルダウンパターン検出部３から判定保留信号が出力されているときに、チャプターチェンジ検出部５からチャプターチェンジ検出信号が出力された場合、このプルダウン映像検出部４の保持回数しきい値を下げるように保持回数しきい値の設定を変更する。これにより、プルダウン映像検出部４が２−２プルダウン映像検出信号の出力状態であるときに、それまでより少ない判定保留信号の入力で２−２プルダウン映像検出信号の出力留状態から離脱する。すなわち、この場合、離脱感度調整部６の調整により、プルダウン映像検出部４の離脱感度が高められたことになる。
【００３１】
次に、本実施例のプルダウン映像検出装置１００の動作について説明する。
【００３２】
図２は、２−２プルダウン映像と、この２−２プルダウン映像が入力されたときに隣接フィールド相関判定部１から出力される相関判定信号および相関パターン生成部２から出力される相関パターンとの関係を示す図である。
【００３３】
図２では、毎秒３０フレームのＣＧ映像の各フレームをＡ、Ｂ、Ｃ、Ｄとして、２−２プルダウン方式で各フレームから生成された毎秒６０フィールドの飛び越し走査の映像（２−２プルダウン映像）を順次Ａ１、Ａ２、Ｂ１、Ｂ２、Ｃ１、Ｃ２、Ｄ１、Ｄ２とする。また、ＣＧ映像のフレームＡとＢは動画とし、フレームＣとＤは連続する静止画とする。
【００３４】
このような２−２プルダウン映像が隣接フィールド相関判定部１に入力されると、隣接フィールド相関判定部１は、隣接するフィールド間、すなわちフィールドＡ１とＡ２、Ａ２とＢ１、Ｂ１とＢ２、Ｂ２とＣ１、Ｃ１とＣ２、Ｃ２とＤ１、Ｄ１とＤ２との間の相関判定をそれぞれ行う。
【００３５】
このとき、フィールドＡ１とＡ２は同じフレームＡの画像から生成されているためフィールド間の画像データの相関が極めて高く、このフィールド間では相関判定信号“０”が出力される。
【００３６】
一方、フィールドＡ２とＢ１は異なるフレームＡとＢからのフィールド画像であり、かつフィールドＡ２とＢ１が動画であるため、フィールドＡ２とＢ１との間では画像データの違いが大きく、このフィールド間では相関判定信号“１”が出力される。
【００３７】
続くフィールドＢ１とＢ２の相関判定では、フィールドＢ１とＢ２が同じフレームＢの画像から生成されているため、相関判定信号“０”が出力される。
【００３８】
このように連続する動画のフレームから生成された２−２プルダウン映像の場合、隣接フィールド相関判定部１からは相関判定信号“０”、“１”が交互に出力される。
【００３９】
したがって、この場合、相関パターン生成部２からは相関パターン“０１”、“１０”が交互に出力される。
【００４０】
ところが、フレームＣ、Ｄのように静止画が連続する場合、ＣＧ映像のフレームが異なっても画像が同じであるため、フレームＣから生成したフィールドＣ２の画像データとフレームＤから生成したフィールドＤ１の画像データの相関が極めて高くなり、フィールドＣ２とＤ１の間の相関判定では相関判定信号“０”が出力される。
【００４１】
そのため、フィールドＣ１とＣ２、Ｃ２とＤ１、Ｄ１とＤ２の間の相関判定で出力される相関判定信号は、“０”、“０”、“０”となる。すなわち、２−２プルダウン映像が連続する静止画のフレームから生成された場合、隣接フィールド相関判定部１からは相関判定信号“０”が連続して出力される。
【００４２】
したがって、この場合、相関パターン生成部２からは相関パターン“００”が連続して出力される。
【００４３】
これに対して、図３に、通常の飛び越し走査映像と、この飛び越し走査映像が入力されたときに隣接フィールド相関判定部１から出力される相関判定信号および相関パターン生成部２から出力される相関パターンとの関係を示す。
【００４４】
図３では、毎秒６０フィールドの飛び越し走査の映像のフィールドを順次Ｅ１、Ｅ２、Ｆ１、Ｆ２、Ｇ１、Ｇ２、Ｈ１、Ｈ２とし、フィールドＥ１とＥ２、フィールドＦ１とＦ２、フィールドＧ１とＧ２、フィールドＨ１とＨ２で構成されるフレームをそれぞれフレームＥ、Ｆ、Ｇ、Ｈとする。また、フレームＥとＦは動画とし、フレームＧとＨは連続する静止画とする。
【００４５】
このような通常の飛び越し走査の映像が隣接フィールド相関判定部１に入力されると、隣接フィールド相関判定部１は、隣接するフィールド間、すなわちフィールドＥ１とＥ２、Ｅ２とＦ１、Ｆ１とＦ２、Ｆ２とＧ１、Ｇ１とＧ２、Ｇ２とＨ１、Ｈ１とＨ２との間の相関判定をそれぞれ行う。
【００４６】
このとき、フレームＥおよびＦは動画であるため、同じフレームの中であってもフィールドＥ１とＥ２の間、およびフィールドＦ１とＦ２の間には画像の動きがあり、それぞれの相関判定信号は“１”となる。
【００４７】
そのため、通常の飛び越し走査の映像の連続する動画フレームを構成するフィールド間に対しては、隣接フィールド相関判定部１からは相関判定信号“１”が連続して出力される。
【００４８】
したがって、この場合、相関パターン生成部２からは相関パターン“１１”が連続して出力される。
【００４９】
一方、フレームＧ、Ｈのように同じ画像の静止画フレームが連続する場合、フレームが異なっても画像が同じであるため、フレームＧを構成するフィールドＧ１、Ｇ２およびフレームＨを構成するフィールドＨ１、Ｈ２の画像データは極めて相関が高く、フィールドＧ１とＧ２、Ｇ２とＨ１、Ｈ１とＨ２との間の相関判定では相関判定信号“０”がそれぞれ出力される。すなわち、通常の飛び越し走査映像の場合も、連続する静止画のフレームを構成するフィールドに対しては、隣接フィールド相関判定部１からは相関判定信号“０”が連続して出力される。
【００５０】
したがって、この場合も連続する静止画のフレームから生成された２−２プルダウン映像の場合と同様、相関パターン生成部２からは相関パターン“００”が連続して出力される。
【００５１】
そこで、プルダウンパターン検出部３の判定用パターン格納部３２に判定用パターンとして“０１”、“１０”、“１１”、“００”の４通りのパターンを格納しておく。
【００５２】
プルダウンパターン検出部３の比較部３１は、この判定用パターンと相関パターン生成部２から出力された相関パターンとを比較し、その比較結果に基づいて、相関パターン生成部２から出力された相関パターンが「２−２プルダウン映像」から生成されたものかどうかを判定する。
【００５３】
図４は、判定用パターン格納部３２に格納された判定用パターンと、各判定用パターンと相関パターン生成部２から出力された相関パターンが一致したときに比較部３１で下される判定との関係を示した図である。
【００５４】
すなわち、判定用パターン“０１”または“１０”と一致したとき、相関パターンは「２−２プルダウン映像」から生成されたものと判定する。このとき、パターン検出部３はプルダウンパターン検出信号を出力する。
【００５５】
また、判定用パターン“１１”と一致したときは、相関パターンは「非２−２プルダウン映像」から生成されたものと判定する。このとき、パターン検出部３は非プルダウンパターン検出信号を出力する。
【００５６】
一方、判定用パターン“００”と一致したときは、相関パターン“００”が「２−２プルダウン映像」、「非２−２プルダウン映像」のいずれからも生成され得るので、比較部３１は判定を「保留」する。このとき、パターン検出部３は判定保留信号を出力する。
【００５７】
このようにして、２−２プルダウン方式の映像が入力されて、その映像が動画であるときはパターン検出部３からのプルダウンパターン検出信号の出力があり、その出力回数がプルダウン映像検出部４に設定された導入回数しきい値以上になると、プルダウン映像検出部４は２−２プルダウン映像検出信号の出力を開始する。その後、映像が２−２プルダウン方式での静止画に変わっても、プルダウン映像検出部４は２−２プルダウン映像検出信号の出力を保持する。これは、またすぐに２−２プルダウン方式の動画に戻る可能性が高いからである。
【００５８】
しかし、いわゆる「ｍａｋｉｎｇ編」付きのＤＶＤソースなどの場合、そのチャプターによって、入力される映像がＣＧ素材の２−２プルダウン方式の映像であったり、通常のビデオ映像であったりし、２−２プルダウン方式の映像の静止画の後に、チャプターチェンジにより通常のビデオ映像が入力されることがある。この場合、パターン検出部３から判定保留信号が出力されていても２−２プルダウン映像検出信号の出力保持状態から離脱しやすくしておいたほうがいい。
【００５９】
このようなチャプターチェンジは、画面全体を一度黒レベルにするブラックアウト、または画面全体を一度白レベルにするホワイトアウトを間に挟んで実行されることが多い。
【００６０】
そこで、本実施例のプルダウン映像検出装置１００は、チャプターチェンジ検出部５により有効領域１画面中の黒または白レベルの画素の個数が有効領域１画面中の総画数と等しくなるかどうかをチェックし、数秒間続いて等しいときはブラックアウトまたはホワイトアウトを検出したものとして、チャプターチェンジ検出信号を出力するようにしている。
【００６１】
離脱感度調整部６は、プルダウンパターン検出部３から判定保留信号が出力されているときに、チャプターチェンジ検出部５からチャプターチェンジ検出信号が出力された場合、プルダウン映像検出部４の保持回数しきい値を下げるように保持回数しきい値の設定を変更する。これにより、チャプターチェンジによって２−２プルダウン方式の映像の静止画の後に通常のビデオ映像が入力されるような場合、プルダウン映像検出部４は２−２プルダウン映像検出信号の出力保持状態から離脱しやすくなる。
【００６２】
このような本実施例のプルダウン映像検出装置によれば、チャプターチェンジを検出したときに２−２プルダウン映像検出信号の出力保持状態からの離脱感度を高めることができ、２−２プルダウン方式の映像のチャプターから他の種類の映像のチャプターにチャプターが切り替わったときに、２−２プルダウン映像検出保持状態からの離脱が遅れることを防止することができる。
【実施例２】
【００６３】
図５は、本発明の実施例２に係るプルダウン映像検出装置の構成の例を示すブロック図である。
【００６４】
本実施例のプルダウン映像検出装置２００は、図１に示した実施例１のプルダウン映像検出装置１００のチャプターチェンジ検出部をシーンチェンジ検出部７に置き換えたものである。そこで、図５において図１に示したブロックと同じ機能を有するブロックには図１と同一の符号を付し、ここでは、その詳細な説明を省略する。
【００６５】
映像シーンの切り替え手法として、ディゾルブやワイプが用いられることがある。ディゾルブは、前の画面が次第に消えて行くにつれて次の画面が次第に溶け込むようにして入れ替わる手法であり、ワイプは、前の画面に次の画面が割り込む形で入れ替わる手法である。２−２プルダウン方式の静止画映像から通常のビデオの静止画映像に切り替わるときに、このようなディゾルブやワイプが用いられることがある。そのとき画像の切り替わりが緩やかである場合、隣接フィールド間では画像データの変化量が少なく、同じ静止画が連続しているものと判定されることがある。
【００６６】
そこで、本実施例のプルダウン映像検出装置２００は、入力された映像信号の非連続性を検出して非連続検出信号を出力する、例えば、ディゾルブやワイプなどによる画像データの変化を捕らえてシーンチェンジ検出信号を出力するシーンチェンジ検出部７を設け、このシーンチェンジ検出信号により離脱感度調整部６がプルダウン映像検出部の保持回数しきい値の設定を変更してその値を下げるようにしている。
【００６７】
シーンチェンジ検出部７は、隣接フィールド相関判定部１のフィールド遅延部１１で１フィールド期間遅延された飛び越し走査の映像信号をさらに１フィールド期間遅延させるフィールド遅延部７１と、フィールド遅延部７１で遅延された２フィールド前の映像信号の不要な垂直高域成分を除去する垂直ＬＰＦ７３と、隣接フィールド相関判定部１の垂直ＬＰＦ１２で不要な垂直高域成分が除去された現フィールドの画像データと垂直ＬＰＦ７３で不要な垂直高域成分が除去された２フィールド前の画像データとの間の画素値の差を同一水平位置の画素ごとに取って差分値を出力する差分器７４と、差分器７４から出力された差分値の絶対値を取得し絶対差分値を出力する絶対値取得部７５と、画素ごとの絶対差分値を差分基準値と比較して画素ごとに比較結果を出力する比較部７６と、差分基準値以上の絶対差分値を有する画素の１フィールド期間中の総数を計数して動画画素数として出力する累積加算部１７と、動画画素数を動画判定基準値と比較してシーンチェンジ検出信号を出力する比較部７８とを有する。
【００６８】
このシーンチェンジ検出部７では、飛び越し走査の映像信号の現フィールドの画像データと２フィールド前の画像データの差が検出される。これにより、１フィールド前の画像からの変化が少なくて隣接フィールド相関判定部１では静止画と判定されるディゾルブやワイプによる画像データの変化であっても、２フィールド前の画像からの変化が動画とみなされる程度に大きければ、シーンチェンジ検出部７によりディゾルブやワイプによる画像の切り替わりを検出できる。
【００６９】
離脱感度調整部６は、プルダウンパターン検出部３から判定保留信号が出力されているときに、シーンチェンジ検出部７からシーンチェンジ検出信号が出力された場合、プルダウン映像検出部４の保持回数しきい値を下げるように保持回数しきい値の設定を変更する。これにより、ディゾルブやワイプによって２−２プルダウン方式の映像の静止画から通常のビデオ映像への切り替えが行われるような場合、プルダウン映像検出部４は２−２プルダウン映像検出信号の出力保持状態から離脱しやすくなる。
【００７０】
このような本実施例のプルダウン映像検出装置によれば、ディゾルブやワイプによる映像シーンの切り替えを検出したときに２−２プルダウン映像検出信号の出力保持状態からの離脱感度を高めることができ、２−２プルダウン方式の映像シーンから他の種類の映像へ映像シーンが切り替わったときに、２−２プルダウン映像検出保持状態からの離脱が遅れることを防止することができる。
【実施例３】
【００７１】
図６は、本発明の実施例３に係るプルダウン映像検出装置の構成の例を示すブロック図である。
【００７２】
本実施例のプルダウン映像検出装置３００は、図１に示した実施例１のプルダウン映像検出装置１００の隣接フィールド相関判定部１を隣接フィールド相関判定部１Ａに置き換えたものである。そこで、図６において図１に示したブロックと同じ機能を有するブロックには図１と同一の符号を付し、ここでは、その詳細な説明を省略する。
【００７３】
本実施例の隣接フィールド相関判定部１Ａには、実施例１の隣接フィールド相関判定部１に増幅部１９０が追加されている。
【００７４】
増幅部１９０は、累積加算部１７と比較部１８の間に挿入され、プルダウンパターンパターン検出部３から判定保留信号が出力されているときにチャプターチェンジ検出部５からチャプター検出信号が出力されたら、累積加算部１７の出力値を増幅して比較部１８へ入力する動作を行う。チャプター検出信号が出力されないときは増幅動作を行わず、累積加算部１７の出力値をそのまま比較部１８へ入力する。
【００７５】
この増幅部１９０の追加により隣接フィールド間のわずかな差分を検出する能力が強化され、チャプターチェンジ後の映像がわずかな動きしかない動画であっても、隣接フィールド相関判定部１Ａから相関判定信号“１”が出力される可能性が高まる。
【００７６】
隣接フィールド相関判定部１Ａから相関判定信号“１”が出力されると、相関パターン生成部２から相関パターン“００”が出力されなくなり、プルダウンパターンパターン検出部３から判定保留信号が出力されなくなる。
【００７７】
これにより、２−２プルダウン方式の映像の静止画状態から２−２プルダウン方式でない映像にチャプターチェンジで切り替わったときに、プルダウンパターンパターン検出部３から非プルダウンパターン検出信号が出力される可能性が高まり、プルダウン映像検出部４は２−２プルダウン映像検出保持状態から離脱しやすくなる。
【００７８】
このような本実施例のプルダウン映像検出装置によれば、チャプターチェンジが検出されたときのみ隣接フィールド間の差分検出能力が高くなるのでチャプターチェンジ後の映像の動画が検出されやすくなり、２−２プルダウン方式の映像のチャプターから他の種類の映像のチャプターにチャプターが切り替わったときに、２−２プルダウン映像検出保持状態から離脱しやすくなる。
【実施例４】
【００７９】
図７は、本発明の実施例４に係るプルダウン映像検出装置の構成の例を示すブロック図である。
【００８０】
本実施例のプルダウン映像検出装置４００は、図６に示した実施例３のプルダウン映像検出装置３００のチャプターチェンジ検出部５をシーンチェンジ検出部７に置き換えたものである。このシーンチェンジ検出部７は、図５に示した実施例２のプルダウン映像検出装置２００で用いたものと同じである。そこで、図７において図６あるいは図５に示したブロックと同じ機能を有するブロックには図６あるいは図５と同一の符号を付し、ここでは、その詳細な説明を省略する。
【００８１】
本実施例のプルダウン映像検出装置４００では、隣接フィールド相関判定部１Ａの増幅部１９０へ、プルダウンパターンパターン検出部３からの判定保留信号とシーンチェンジ検出部７からのシーン検出信号が接続されている。
【００８２】
本実施例における増幅部１９０は、プルダウンパターンパターン検出部３から判定保留信号が出力されているときにシーンチェンジ検出部７からシーン検出信号が出力されたら、累積加算部１７の出力値を増幅して比較部１８へ入力する動作を行う。シーン検出信号が出力されないときは増幅動作を行わず、累積加算部１７の出力値をそのまま比較部１８へ入力する。
【００８３】
これにより、本実施例のプルダウン映像検出装置４００では、シーンチェンジ後の映像がわずかな動きしかない動画であっても、これを動画として捕らえ、隣接フィールド相関判定部１Ａから相関判定信号“１”が出力される可能性が高まる。
【００８４】
このような本実施例のプルダウン映像検出装置によれば、シーンチェンジが検出されたときのみ隣接フィールド間の差分検出能力が高くなるのでシーンチェンジ後の映像の動画が検出されやすくなり、２−２プルダウン方式の映像のシーンから他の種類の映像のシーンにシーンが切り替わったときに、２−２プルダウン映像検出保持状態から離脱しやすくなる。
【実施例５】
【００８５】
図８は、本発明の実施例５に係るプルダウン映像検出装置の構成の例を示すブロック図である。
【００８６】
本実施例のプルダウン映像検出装置５００は、図１に示した実施例１のプルダウン映像検出装置１００の隣接フィールド相関判定部１を隣接フィールド相関判定部１Ｂに置き換えたものである。そこで、図８において図１に示したブロックと同じ機能を有するブロックには図１と同一の符号を付し、ここでは、その詳細な説明を省略する。
【００８７】
本実施例の隣接フィールド相関判定部１Ｂには、実施例１の隣接フィールド相関判定部１に相関判定基準値調整部１９５が追加されている。
【００８８】
相関判定基準値調整部１９５は、比較部１８に与える相関判定基準値の設定を変更する機能を有し、プルダウンパターンパターン検出部３から判定保留信号が出力されているときにチャプターチェンジ検出部５からチャプター検出信号が出力されたら、比較部１８に与える相関判定基準値を通常値より下げる動作を行う。チャプター検出信号が出力されないときは相関判定基準値を通常値のままとする。
【００８９】
この相関判定基準値調整部１９５が相関判定基準値を下げることにより隣接フィールド間のわずかな差分を検出する感度が高まり、シーンチェンジ後の映像がわずかな動きしかない動画であっても、隣接フィールド相関判定部１Ｂから相関判定信号“１”が出力される可能性が高まる。
【００９０】
隣接フィールド相関判定部１Ｂから相関判定信号“１”が出力されると、相関パターン生成部２から相関パターン“００”が出力されなくなり、プルダウンパターンパターン検出部３から判定保留信号が出力されなくなる。
【００９１】
これにより、２−２プルダウン方式の映像の静止画状態から２−２プルダウン方式でない映像にチャプターチェンジで切り替わったときに、プルダウンパターンパターン検出部３から非プルダウンパターン検出信号が出力される可能性が高まり、プルダウン映像検出部４は２−２プルダウン映像検出保持状態から離脱しやすくなる。
【００９２】
このような本実施例のプルダウン映像検出装置によれば、チャプターチェンジが検出されたときのみ隣接フィールド間の差分検出感度が高くなるのでチャプターチェンジ後の映像の動画が検出されやすくなり、２−２プルダウン方式の映像のチャプターから他の種類の映像のチャプターにチャプターが切り替わったときに、２−２プルダウン映像検出保持状態から離脱しやすくなる。
【実施例６】
【００９３】
図９は、本発明の実施例６に係るプルダウン映像検出装置の構成の例を示すブロック図である。
【００９４】
本実施例のプルダウン映像検出装置６００は、図８に示した実施例５のプルダウン映像検出装置５００のチャプターチェンジ検出部５をシーンチェンジ検出部７に置き換えたものである。このシーンチェンジ検出部７は、図５に示した実施例２のプルダウン映像検出装置２００で用いたものと同じである。そこで、図９において図８あるいは図５に示したブロックと同じ機能を有するブロックには図８あるいは図５と同一の符号を付し、ここでは、その詳細な説明を省略する。
【００９５】
本実施例のプルダウン映像検出装置５００では、隣接フィールド相関判定部１Ｂの相関判定基準値調整部１９５へ、プルダウンパターンパターン検出部３からの判定保留信号とシーンチェンジ検出部７からのシーン検出信号が接続されている。
【００９６】
本実施例における相関判定基準値調整部１９５は、プルダウンパターンパターン検出部３から判定保留信号が出力されているときにシーンチェンジ検出部７からシーン検出信号が出力されたら、比較部１８に与える相関判定基準値を通常値より下げる動作を行う。チャプター検出信号が出力されないときは相関判定基準値を通常値のままとする。
【００９７】
これにより、本実施例のプルダウン映像検出装置６００では、シーンチェンジ後の映像がわずかな動きしかない動画であっても、これを動画として捕らえ、隣接フィールド相関判定部１Ｂから相関判定信号“１”が出力される可能性が高まる。
【００９８】
このような本実施例のプルダウン映像検出装置によれば、シーンチェンジが検出されたときのみ隣接フィールド間の差分検出感度が高くなるのでシーンチェンジ後の映像の動画が検出されやすくなり、２−２プルダウン方式の映像のシーンから他の種類の映像のシーンにシーンが切り替わったときに、２−２プルダウン映像検出保持状態から離脱しやすくなる。
【図面の簡単な説明】
【００９９】
【図１】本発明の実施例１に係るプルダウン映像検出装置の構成の例を示すブロック図。
【図２】２−２プルダウン映像と本発明の各実施例に係るプルダウン映像検出装置で生成される相関パターンとの関係を説明するための図。
【図３】通常の飛び越し走査映像と本発明の各実施例に係るプルダウン映像検出装置で生成される相関パターンとの関係を説明するための図。
【図４】本発明の各実施例に係るプルダウン映像検出装置で用いる判定用パターンを説明するための図。
【図５】本発明の実施例２に係るプルダウン映像検出装置の構成の例を示すブロック図。
【図６】本発明の実施例３に係るプルダウン映像検出装置の構成の例を示すブロック図。
【図７】本発明の実施例４に係るプルダウン映像検出装置の構成の例を示すブロック図。
【図８】本発明の実施例５に係るプルダウン映像検出装置の構成の例を示すブロック図。
【図９】本発明の実施例６に係るプルダウン映像検出装置の構成の例を示すブロック図。
【符号の説明】
【０１００】
１、１Ａ、１Ｂ  隣接フィールド間相関判定部
２  相関パターン生成部
３  プルダウンパターン検出部
４  プルダウン映像検出部
５  チャプターチェンジ検出部
６  離脱感度調整部
７  シーンチェンジ検出部
１１、７１  フィールド遅延部
１２、１３、７３  垂直ＬＰＦ
１４、７４  差分器
１５、７５  絶対値取得部
１６、１８、３１、５３、５４、７６、７８  比較部
１７、７７  累積加算部
１９０  増幅部
１９５  相関判定基準値調整部
２１、２２  シフトレジスタ
３２  判定用パターン格納部
５１  黒画素カウンタ
５２  白画素カウンタ
５５  判定部
１００、２００、３００、４００、５００、６００  プルダウン映像検出装置
【図１】
2006319744.tif 000003
【図２】
2006319744.tif 000004
【図３】
2006319744.tif 000005
【図４】
2006319744.tif 000006
【図５】
2006319744.tif 000007
【図６】
2006319744.tif 000008
【図７】
2006319744.tif 000009
【図８】
2006319744.tif 000010
【図９】
2006319744.tif 000011